(57)【特許請求の範囲】
【請求項１】
太陽歯車と、キャリヤに支持されたキャリヤピンによって支持され該太陽歯車と外接する遊星歯車と、該遊星歯車が内接する内歯歯車と、を備えた減速比が異なる単純遊星歯車機構の遊星歯車装置シリーズにおいて、
前記キャリヤピンは、該キャリヤピンの軸心に対して偏心しているクランク部を備え、
前記遊星歯車が、前記クランク部の軸心を回転中心として回転自在に支持されると共に、前記キャリヤピンの軸心位置から前記クランク部の軸心位置までの偏心量が、前記クランク部の直径比０．１乃至０．３であり
前記キャリヤは、シリーズ間で共通である
ことを特徴とする単純遊星歯車機構の遊星歯車装置シリーズ。
【請求項２】
太陽歯車と、キャリヤに支持されたキャリヤピンによって支持され該太陽歯車と外接する遊星歯車と、該遊星歯車が内接する内歯歯車と、を備えた減速比が異なる単純遊星歯車機構の遊星歯車装置シリーズにおいて、
前記キャリヤピンは、該キャリヤピンの軸心に対して偏心しているクランク部を備え、
前記遊星歯車が、前記クランク部の軸心を回転中心として回転自在に支持されると共に、前記キャリヤピンの軸心位置から前記クランク部の軸心位置までの偏心量が、前記キャリヤピンの直径比０．１５乃至０．５であり
前記キャリヤは、シリーズ間で共通である
ことを特徴とする単純遊星歯車機構の遊星歯車装置シリーズ。
【請求項３】
太陽歯車と、キャリヤに支持されたキャリヤピンによって支持され該太陽歯車と外接する遊星歯車と、該遊星歯車が内接する内歯歯車と、を備えた減速比が異なる単純遊星歯車機構の遊星歯車装置シリーズにおいて、
前記キャリヤピンは、該キャリヤピンの軸心に対して偏心しているクランク部を備え、
前記遊星歯車が、前記クランク部の軸心を回転中心として回転自在に支持されると共に、前記キャリヤピンの軸心位置から前記クランク部の軸心位置までの偏心量が、前記クランク部の直径比０．１乃至０．３であって、且つ、前記キャリヤピンの直径比０．１５乃至０．５であり
前記キャリヤは、シリーズ間で共通である
ことを特徴とする単純遊星歯車機構の遊星歯車装置シリーズ。
【発明の詳細な説明】
【技術分野】
【０００１】
本発明は、単純遊星歯車機構の遊星歯車装置シリーズに係る。
【背景技術】
【０００２】
単純遊星歯車機構は、太陽歯車と、キャリヤに支持されたキャリヤピンによって支持され該太陽歯車と外接する遊星歯車と、該遊星歯車が内接する内歯歯車とを備える。この単純遊星歯車機構は、入出力が同心であること、伝達効率が良いこと等から様々な用途に広く利用されている。
【０００３】
具体的には、特許文献１に記載されるような単純遊星歯車機構を利用した遊星歯車装置が公知となっている。
【０００４】
図５に、特許文献１に記載の遊星歯車装置１２を示す。
【０００５】
この遊星歯車装置１２は、動力源であるモータのモータ軸（図示しない）の回転を、入力軸１８で受け、減速し、キャリヤ３０を介して出力軸３２へと伝達可能とされている。
【０００６】
市場においては、減速比の多様化が求められていることもあり、このような遊星歯車装置１２においても、種々の減速比を予め用意しておく必要性が生じる。このような場合、図６に示すように内歯歯車３４は装置全体のコンパクト性等を維持するために共通として、太陽歯車２２や遊星歯車２４の大きさを適宜変更して、減速比のバリエーションを構成している。なお、このように太陽歯車２２や遊星歯車２４の大きさを適宜変更して減速比のバリエーションを揃えようとすると、それに伴いキャリヤピン２６の軌道（動作時における公転軌道）も、揃える減速比毎に異なってしまう（図６、Ｃ１〜Ｃ３参照）。その結果、必然的にキャリヤ３０も減速比ごとにそれぞれ用意する必要がある。
【０００７】
【特許文献１】特開２００２−１８８６９３号公報
【発明の開示】
【発明が解決しようとする課題】
【０００８】
従来例のような方法で、遊星歯車装置を種々の減速比に適用させるべく構成しようとすれば、総部品点数が増大することを意味し、これに伴い総在庫量が増大し、又、一ロット部品当たりの製作数が減少するため、部品コストが増大する。
【０００９】
本発明は、このような従来の問題点に鑑みてなされたものであって、遊星歯車装置において、キャリヤの共通化を実現すること及びキャリヤを共通とした異なる減速比の遊星歯車装置のシリーズを提供することを主たる課題としている。
【課題を解決するための手段】
【００１０】
本発明は、太陽歯車と、キャリヤに支持されたキャリヤピンによって支持され該太陽歯車と外接する遊星歯車と、該遊星歯車が内接する内歯歯車と、を備えた減速比が異なる単純遊星歯車機構の遊星歯車装置シリーズにおいて、前記キャリヤピンは、該キャリヤピンの軸心に対して偏心しているクランク部を備え、前記遊星歯車が、前記クランク部の軸心を回転中心として回転自在に支持されると共に、前記キャリヤピンの軸心位置から前記クランク部の軸心位置までの偏心量が、前記クランク部の直径比０．１乃至０．３であり前記キャリヤは、シリーズ間で共通とすることにより、上記課題を解決したものである。
【００１１】
本発明では、遊星歯車を支持するキャリヤピンは、単純な円筒形ではなく、該キャリヤピンの軸心に対して偏心しているクランク部を備えている。又、遊星歯車は、このキャリヤピンの軸心に対して偏心した軸心を有するクランク部によって（該クランク部の軸心を回転中心として）回転自在に支持される。
【００１２】
これにより、種々の大きさの遊星歯車に対しクランク部の軸心位置を自由に調整でき、異なるピッチ円を有する複数種類の遊星歯車を、同一の軸心位置のキャリヤピンで内歯歯車に内接させることができる。
【００１３】
キャリヤピンの軸心位置を同一に維持できるというのは、該キャリヤピンと連結されている部材であるキャリヤを同一に維持できるということであり、装置全体の部品の共用化を大幅に促進できる。
【００１４】
本発明においては、キャリヤピンの軸心位置からクランク部の軸心位置までの偏心量が、クランク部の直径に対して０．１乃至０．３の範囲となるように設定される。
【００１５】
これは、偏心量がクランク部の直径に対して０．１未満となると、組込み可能な遊星歯車の種類が少なくなって「共通化の促進」という本発明の意図する本来的な効果が得られなくなってしまうためである。なお、キャリヤピンの軸心位置からクランク部の軸心位置までの偏心量として、クランク部の直径に対して０．１にも満たないような僅かな偏心を設けることで、遊星歯車等の製造誤差を吸収することは可能であるが、本発明は、敢えて一定以上の偏心量を設定することによって本発明特有の「共通化の促進」という課題を解決したものである。
【００１６】
同様の観点から、このキャリヤピンの軸心位置から前記クランク部の軸心位置までの偏心量は、前記キャリヤピンの直径比０．１５乃至０．５の範囲に設定すべきである。
【００１７】
なお、これらの共通の範囲、即ち、前記クランク部の直径比０．１乃至０．３であって、且つ、前記キャリヤピンの直径比０．１５乃至０．５の範囲に偏心量を設定すると一層良好である。
【発明の効果】
【００１８】
本発明により、総部品点数の減少、総在庫量の減少、一ロット当たりの製作数の増大による部品コストの減少が図れる。
【発明を実施するための最良の形態】
【００１９】
以下図面に基づいて本発明の実施の形態を詳細に説明する。
【００２０】
図１は、本発明に係る遊星歯車装置シリーズにおいて採用されている遊星歯車装置が適用されたギヤドモータＧＭ１１０の概略縦断面図である。
【００２１】
ギヤドモータＧＭ１１０は、モータ１１４と、遊星歯車装置１１２とから構成されている。
【００２２】
この遊星歯車装置１１２の単純遊星歯車機構Ｓ１は、太陽歯車１２２と、該太陽歯車１２２と外接する３個の遊星歯車１２４と、該遊星歯車１２４が内接する内歯歯車１３４と、を備える。
【００２３】
前記太陽歯車１２２は、入力軸１１８に圧入されている。この入力軸１１８は、モータ１１４のモータ軸１１６が挿入される挿入孔１１８Ａを有し、モータ軸１１６をこの挿入孔１１８Ａに挿入した状態で、ねじ部１１９に締めボルト（図示略）を螺合することで、発生する締結力により入力軸１１８とモータ軸１１６とが摩擦結合されている。
【００２４】
なお、モータ１１４は連結用のボルト穴１４０Ａを介して継カバー１４０に連結されており、該継カバー１４０はボルト１３６を介して遊星歯車装置１１２のケーシング１３８に連結されている。
【００２５】
又、前記遊星歯車１２４はキャリヤ１３０に支持されたキャリヤピン１２６を介して回転自在に支持されている。なお、このキャリヤピン１２６周りの構造については後に詳述する。
【００２６】
キャリヤ１３０は、ベアリング１４４・１４６を介してケーシング１３８に回転自在に支持されており、厚い円板状の本体プレート１３０Ａと、この本体プレート１３０Ａに立設され前記３個の遊星歯車１２４の間に位置決めされた３本の支柱１３０Ｂと、この支柱１３０Ｂの端面にボルト１４２を介して連結されるカバープレート１３０Ｃと、から主に構成される。
【００２７】
このキャリヤ１３０の本体プレート１３０Ａには、出力軸１３２が一体化され、該キャリヤ１３０の自転が出力軸１３２の回転として取り出される。
【００２８】
前記内歯歯車１３４は、ケーシング１３８と一体的に形成されている。ケーシング１３８は取付孔１３８Ａを介して図示せぬ外部の固定部材に固定される。
【００２９】
従って、この遊星歯車装置１１２は、太陽歯車入力、内歯歯車固定、キャリヤ出力の単純遊星歯車機構を備えていることになる。
【００３０】
ここで、この実施形態の最も大きな特徴である遊星歯車１２４の支持構造について詳細に説明する。
【００３１】
図２は、図１におけるII−II線に沿う断面における、内歯歯車１３４、太陽歯車１２２、遊星歯車１２４の関係を示す図であり、（Ａ）が減速比が大きい場合、（Ｂ）は減速比が中程度の場合、（Ｃ）が減速比が小さい場合をそれぞれ示したものである。
【００３２】
図２〜図４（図４は概念図）を合わせて参照して、遊星歯車１２４は３個備えられ、それぞれキャリヤ１３０に回転可能に支持されたキャリヤピン１２６によって支持されている。このキャリヤピン１２６には、該キャリヤピン１２６の軸心Ｐｏに対して偏心した偏心カムが回転方向に一体化した状態で設けられ、クランク部１５２が形成されている。これにより、キャリヤピン１２６をキャリヤ１３０に支持した状態で、キャリヤピン１２６の軸心Ｐｏに対するクランク部１５２の軸心Ｃｏの偏心方向（偏心角α）が可変とされている。なお、ここで「偏心角α」とは、基準偏心方向（クランク部の軸心が偏心している方向の基準となる方向＝キャリヤピンの軸心Ｐｏとクランク部の軸心Ｃｏを結んだ直線と、キャリヤピンが公転する際にキャリヤピンの軸心Ｐｏが描く円との交点における接線）Ｔａと、キャリヤピンの軸心とクランク部の軸心を結んだ直線とのなす角度を意味している。なお、この基準偏心方向Ｔａは、この例では接線方向と一致させているが、必ずしも完全一致させなくてもよい。この基準偏心方向を基準にしてクランク部１５２がキャリヤピン１２６の軸心Ｐｏを中心として偏心角αだけ揺動されることにより、クランク部１５２の軸心Ｃｏの位置が周方向（キャリヤピン１２６の軸心Ｐｏを中心とした周方向）に回転可能とされる。
【００３３】
遊星歯車１２４は、このクランク部１５２の軸心Ｃｏを回転中心として回転自在に支持される。
【００３４】
より具体的に説明すると、キャリヤピン１２６の軸方向中央の外周には、クランク部としてキャリヤピン１２６の軸心Ｐｏから偏心量ｅだけずらした偏心カム１５０が設けられている。この偏心カム１５０は、自身の外周に遊星歯車１２４を（ベアリング１５１を介して）回転自在に支持する。この偏心カム１５０はキャリヤピン１２６とは回転方向に一体化されている。
【００３５】
又、キャリヤピン１２６自体はキャリヤ１３０の本体プレート１３０Ａに形成された孔１３０Ｄ及びカバープレート１３０Ｃに形成された孔１３０Ｅに回転自在に両持ち支持されている（図１参照）。
【００３６】
この構造は、換言すると、キャリヤピン１２６は、該キャリヤピン１２６の軸心Ｐｏに対して偏心量ｅだけ偏心しているクランク部１５２を備え、且つ、クランク部１５２の軸心Ｃｏの位置が、キャリヤピン１２６の軸心Ｐｏの位置を中心に周方向に回転可能ととされており、遊星歯車１２４が、このクランク部１５２の軸心Ｃoを回転中心として回転自在に支持されているということである。
【００３７】
次に、遊星歯車装置１１２を備えるギヤドモータＧＭ１１０の作用について説明する。
【００３８】
モータ１１４に通電されると、モータ軸１１６が回転し、これに伴い入力軸１１８及び太陽歯車１２２も回転する。
【００３９】
この太陽歯車１２２の回転は、噛合する遊星歯車１２４を回転させる。この遊星歯車１２４は、太陽歯車１２２と噛合すると同時に内歯歯車１３４とも噛合しているため、太陽歯車１２２の周囲を自転しながらゆっくりと公転することとなる。このゆっくりとした公転成分をキャリヤ１３０を介して取り出すことによって、入力されたモータ軸１１６の回転が減速され、出力軸１３２へと出力される。
【００４０】
このときの減速比は、（太陽歯車１２２の歯の数＋内歯歯車１３４の歯の数）／（太陽歯車１２２の歯の数）となり、これら両歯車１２２、１３４の歯数比を調整することで、減速比を調整することが可能である。
【００４１】
図２（Ｂ）に示すような中程度の減速比（ここでは約５）を得るための構成例を基準に説明すると、作動時においてクランク部１５２の中心Ｃｏ（偏心カム１５０の中心、更には遊星歯車１２４の自転中心でもある）が通る軌動Ｃ５とキャリヤピンの軸心Ｐｏが通る軌動とが略一致しており、偏心角α２はほぼ１８０°に近い値となっている。
【００４２】
なお、ここで、それぞれのキャリヤピン１２６のクランク部１５２の基準偏心方向Ｔａを同一の方向（図示の例では全てＲ側の方向）に揃えるようにしたのは、各遊星歯車１２４において発生する半径方向のモーメントの方向（外周側へ向けた押出し方向あるいは内周側へ向けた引込み方向）を揃えることができ、その結果、全周における各モーメントを互いに相殺し易くするためである。
【００４３】
一方で、同じ内歯歯車１３４を利用して減速比の大きい歯車装置１１２を構成すると、図２（Ａ）のようになる（ここでは減速比９）。
【００４４】
大きな減速比を得るために、太陽歯車１２２は小さく、そしてその歯数は少なくなり、それを補うべく遊星歯車１２４が大きくなっている。この構成の変化に伴って前述した中程度の減速比（図２（Ｂ））の場合と比較すると、クランク部１５２の軸心Ｃｏの軌動Ｃ４はより内側（太陽歯車１２２側）へと位置する。
【００４５】
本発明を適用しない場合であるなら、この軌動の変化（Ｃ５→Ｃ４）はまさにキャリヤピンの軌動の変化に他ならないから、キャリヤピンを支えるキャリヤは２種類のものを用意せざるを得ず、必然的に部品点数が増大することとなっていた。
【００４６】
しかし、本発明を適用することで図２（Ａ）に示すように、クランク部１５２を偏心角α１の角度をなしてキャリヤピンの軸心に対して回動させておくことにより、クランク部１５２の軸心Ｃｏ、即ち、遊星歯車１２４の公転軌動が変化しても、キャリヤピン１２６の軸心Ｐｏの軌動は変化せずに（Ｃ５のまま）回転することが可能となっている。このことは減速比をある一定の範囲内で変化させた（減速比を大きくした）場合においても、単一種類のキャリヤ１３０を使用（キャリヤの共通化）することが可能となることを意味している。
【００４７】
更に、より小さな減速比の遊星歯車装置を構成する場合（図２（Ｃ）参照、ここでは減速比約３．６７）でも同様である。即ち、クランク部の軸心Ｃｏの軌動Ｃ６がある一定の範囲内で大きく（内歯歯車１３４側へと）なった場合でも、クランク部１５２を偏心角α３の角度をなして回動させておくことにより、この変化を吸収することができる。
【００４８】
なお、図３に示すように、キャリヤピンの軸心Ｐｏと、クランク部１５２（偏心カム１５０）の軸心Ｃｏとの偏心量ｅは、以下のいずれかの条件を満たすように設定される。
【００４９】
第１の条件としては、偏心量ｅは、クランク部１５２の直径Ｄ（偏心カム１５０の直径）比０．１乃至０．３であることである。
【００５０】
これは、偏心量がクランク部の直径に対して０．１未満となると、組込み可能な遊星歯車の種類が少なくなって「共通化の促進」という本発明の意図する本来的な効果が得られなくなってしまうためである。逆に、偏心量は大きな程、１のキャリヤで種々の減速比に対応できるが、実際には偏心量がクランク部の直径に対して０．３以上になると、遊星歯車の組込みが困難になったり、クランク軸に掛かるラジアル方向のモーメントが大きくなったりする不具合が発生し、好ましくないとの理由による。
【００５１】
第２の条件としては、偏心量ｅは、キャリヤピン１２６の直径ｄ比０．１５乃至０．５であることである。
【００５２】
この点も、前記と同様に、偏心量がキャリヤピンの直径に対して０．１５未満となると、組込み可能な遊星歯車の種類が少なくなって「共通化の促進」という本発明の意図する本来的な効果が得られなくなってしまうためである。逆に、偏心量は大きな程、1のキャリヤで種々の減速比に対応できるが、実際には偏心量がキャリヤピンの直径に対して０．５以上になると、遊星歯車の組込みが困難になったり、クランク軸に掛かるラジアル方向のモーメントが大きくなったりする不具合が発生し、好ましくない。
【００５３】
なお、更に好ましくは、上記第１、第２の両方の条件を満たしているとよい。
【００５４】
なお、偏心量ｅは、キャリヤを共通化させようとする最大減速比の構成におけるクランク部の軸心Ｃｏの軌動の直径ＰＣＤmin（図２においては（Ａ）のＰＣＤ４が相当する）と、最小減速比の構成におけるクランク部の軸心Ｃｏの軌動の直径ＰＣＤmax（図２においては（Ｃ）のＰＣＤ６が相当する）との差を２で除した値となる。
【００５５】
なお、本発明においては前記クランク部を具体的にどのようにして形成するかについては特に限定されず、種々の構成が採用できる。
【００５６】
例えば、上述したように前記キャリヤピンに、前記遊星歯車を回転可能に支持可能な偏心カムを「回転方向に一体化」させる場合、完全に一体物で形成してもよく、複数の部材を合体して結果として回転方向に一体化させてもよい。又、前記キャリヤピンの外周に、前記遊星歯車を回転自在に支持可能な偏心カムを、該キャリヤピンに対して回転自在に組み込むことにより、前記キャリヤピンのクランク部を形成することもできる。なお、キャリヤピンを、キャリヤに「回転自在に支持する」場合は、両者間にベアリング等を介在させてもよい。
【００５７】
なお、前記実施形態においては、各遊星歯車の基準偏心方向Ｔａは、該単純遊星歯車機構の軸心と当該キャリヤピンの軸心とを結ぶ直線に対して同一の側に向けられていた。
【００５８】
これは、本発明では、その構造上、各遊星歯車において、キャリヤピンの軸心と遊星歯車の回転中心とがズレていることに起因して遊星歯車を外側に押し出したり、あるいは内側に引き込んだりするモーメント（ラジアル方向の力）が発生することがあることを考慮したためである。しかしながら、本発明では、必ずしもこのように全ての遊星歯車のキャリヤピンの基準偏心方向を同一の側に維持して組み込むことを要求するものではない。
【００５９】
例えば、このモーメントの発生に関して正逆方向での影響の差を微少にするには、遊星歯車を偶数個備え、且つ隣り合うクランク部の基準偏心方向が、該単純遊星歯車機構の軸心と当該クランク部の軸心とを結ぶ直線に対して交互に逆側に向けられているようにすると良い。
【００６０】
即ち、この遊星歯車を外側に押し出したり、内側に引き込んだりする力は、正転時と逆転時とで反転する。従って、正転及び逆転での該モーメントの影響差を軽減するには、確率的に正転時の挙動と逆転時の挙動が等しくなるような対応で組付けておくのが合理的である。
【００６１】
なお、上記実施形態の場合は、クランク部が自動調心機能を有する。この機能により、例えば運転中においても、リアルタイムでその時の内歯歯車、遊星歯車、太陽歯車の三者のトルク関係（半径方向のトルク関係）がバランスした状態に保たれるという利点が得られる。従って、ここで太陽歯車をフロート状態（その軸心が減速機の軸心Ｒｏに対して微少に変化し得る状態：例えばスプラインによる結合状態）で組み込むようにした場合には、全ての遊星歯車における半径方向のトルク関係が相互にバランスした状態がリアルタイムで維持されることになる。特に、遊星歯車の個数が３個とされていた場合には、理論上全ての遊星歯車における半径方向のトルク関係が常に完全にバランスした状態で運転することができ、用途によっては極めて大きなメリットとなり得る。
【００６２】
逆に、一度最適な状況に組み込みが完了した場合に、この自動調心機能を敢えて無効にするべく、キャリヤピンとクランク部をキャリヤに対して固定できるような構成としても良い。例えば高速回転させるような用途に使用する場合には、微少な製造ばらつきがあっても円滑な回転・支持が可能となるからである。
【００６３】
本発明において、キャリヤピンとクランク部をキャリヤに対して固定した場合には、その固定した状態におけるクランク部の軸心が従来のキャリヤピンの軸心に相当する「通常の」単純遊星歯車機構と同一の構成となる。
【００６４】
このように本発明を適用することで、総部品点数の減少、総在庫量の減少、一ロット当たりの製作数の増大による部品コストの減少が期待できる。
【産業上の利用可能性】
【００６５】
本発明は、実施形態として示したギヤドモータをはじめ、広く変速装置として利用することができる。
【図面の簡単な説明】
【００６６】
【図１】本発明に係る遊星歯車装置シリーズにおいて採用されている遊星歯車装置が適用されたギヤドモータＧＭ１１０の略縦断面図
【図２】図１におけるII−II線に沿う断面における、内歯歯車、太陽歯車、遊星歯車の関係を示す（Ａ）は減速比が大きい場合、（Ｂ）は減速比が中程度の場合、（Ｃ）は減速比が小さい場合を示す図
【図３】偏心カムを備えたキャリヤピンの拡大図であって、（Ａ）が側面図、（Ｂ）が正面図
【図４】図２において示した各減速比における太陽歯車、遊星歯車、キャリヤピンの位置関係を示した図
【図５】特許文献１記載の遊星歯車装置と略同様の遊星歯車装置を備えたギヤドモータＧＭ１０の断面図
【図６】図５におけるVI−VI線に沿う断面における、内歯歯車、太陽歯車、遊星歯車の関係を示す（Ａ）は減速比が大きい場合、（Ｂ）は減速比が中程度の場合、（Ｃ）は減速比が小さい場合を示す図
【符号の説明】
【００６７】
ＧＭ１１０…ギヤドモータ
Ｓ１…単純遊星歯車機構
１１２…遊星歯車装置
１１８…入力軸
１２２…太陽歯車
１２４…遊星歯車
１２６…キャリヤピン
１３０…キャリヤ
１３４…内歯歯車
１３８…ケーシング
１４０…継カバー
１５０…偏心カム
１５２…クランク部
Ｒｏ…減速機（単純遊星歯車機構）の軸心
Ｐｏ…キャリヤピンの軸心
Ｃｏ…クランク部（偏心カム）の軸心
Ｔａ…基準偏心方向
ｅ…偏心量
α…偏心角
【図１】
0004588586.tif 000002
【図２】
0004588586.tif 000003
【図３】
0004588586.tif 000004
【図４】
0004588586.tif 000005
【図５】
0004588586.tif 000006
【図６】
0004588586.tif 000007